【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
ページング網内で通信しているページャからページを遠隔から取り出すための方法であって、本方法が：
前記のページング網において、電話網を使用して通信する遠隔端末から呼を受信するステップを含み、前記の呼が、前記のページング網内で通信するページャに向けられたものであり；本方法がさらに
前記の呼が、ページャに対して遠隔動作セッションに入るように指令する場合、前記の遠隔端末と前記のページャとの間に通信リンクを設定するステップを含み、ここで、前記ページャが、前記ページャによって受信されたページを、前記の遠隔端末に、前記の通信リンクを通じて、選択的に送信することを特徴とする方法。
【請求項２】
前記の遠隔動作セッションが、前記の遠隔端末から、前記のページャと前記の遠隔端末との間で対話を開始することを指令するある所定のコマンドを受信するステップを含むことを特徴とする請求項１の方法。
【請求項３】
前記のページャによって受信された前記のページがメモリ内に格納されることを特徴とする請求項２の方法。
【請求項４】
前記のメモリ内に格納されている前記のページを前記の遠隔端末に送信することを前記のページャに対して指令するある所定のコマンドを、前記の遠隔端末から受信するステップをさらに含むことを特徴とする請求項３の方法。
【請求項５】
前記のメモリ内に格納された所定のページを削除することを前記のページャに対して指令するある所定のコマンドを、前記の遠隔端末から受信するステップをさらに含むことを特徴とする請求項４の方法。
【請求項６】
前記の遠動作隔セッションを終了することを指令するある所定のコマンドを、前記の遠隔端末から受信するステップをさらに含むことを特徴とする請求項５の方法。
【請求項７】
前記の遠隔動作セッションに入るために前記のページャに送信される前記の所定の指令が、あらかじめプログラムされたＤＴＭＦコマンドセットから選択されることを特徴とする請求項３の方法。
【請求項８】
前記のメモリ内に格納された前記のページが、音声メッセージ、数字メッセージ、および英数字メッセージから成る一群から選択されるメッセージであることを特徴とする請求項４の方法。
【請求項９】
前記の通信リンクが、無線通信リンクであることを特徴とする請求項１の方法。
【請求項１０】
前記の遠隔端末が、無線端末、地上回線電話機、セルラ電話機、ラップトップコンピュータ、および専用の移動無線機から成る一群から選択された端末であることを特徴とする請求項１の方法。
【請求項１１】
ページャの動作を電話網を通じて遠隔から制御するための方法であって、前記のページャが、前記電話網と通信可能なページング網内で動作し、本方法が：
前記電話網内で通信する遠隔端末から、前記のページャと前記の遠隔端末との間に通信リンクを設定するために、所定のアクセス番号をダイヤルするステップ；
前記のページャに、前記の通信リンクを通じて、遠隔動作セッションに入ることを指令する所定のインストラクションを送信するステップ；および
前記の遠隔端末から、前記のページャに、前記の遠隔動作セッション中に、前記ページャの動作を制御するためのコマンドを送信するステップを含むことを特徴とする方法。
【請求項１２】
前記のページャに通信リンクを通じて所定のインストラクションを送信する前記ステップが、前記のページャと前記の遠隔電話端末との間で対話を開始することを指令する所定のコマンドを送るステップを含むことを特徴とする請求項１１の方法。
【請求項１３】
前記のページャに送られた前記のページがメモリ内に格納されることを特徴とする請求項１２の方法。
【請求項１４】
前記のメモリ内に格納されたページを前記の遠隔端末に選択的に送信することを前記のページャに対して指令する取り出しコマンドを、前記の遠隔端末から送信するステップをさらに含むことを特徴とする請求項１３の方法。
【請求項１５】
前記のメモリ内に格納された所定のページを選択的に削除することを前記のページャに対して指令する削除コマンドを送信するステップをさらに含むことを特徴とする請求項１４の方法。
【請求項１６】
前記の遠隔動作セッションを終了することを前記のページャに対して指令する所定の停止コマンドを送信するステップをさらに含むことを特徴とする請求項１５の方法。
【請求項１７】
前記のページャの動作を制御するために前記のページャに送信された前記のコマンドが、事前にプログラムされたデュアルトーンマルチ周波数コマンドであることを特徴とする請求項１１の方法。
【請求項１８】
前記のメモリ内に格納された前記のページが、音声メッセージ、数字メッセージ、および英数字メッセージから成る一群から選択されるメッセージであることを特徴とする請求項１４の方法。
【請求項１９】
前記の通信リンクが、無線通信リンクであることを特徴とする請求項１１の方法。
【請求項２０】
前記の遠隔端末が、無線端末、地上回線電話機、セルラ電話機、ラップトップコンピュータ、および、専用の移動無線機から成る一群から選択されることを特徴とする請求項１１の方法。
【請求項２１】
電話網内で通信する遠隔通信端末が、ページング網内で通信するページャに送られたページを取り出せるようにするためのページング網から成ることを特徴とするシステム。
【請求項２２】
前記のページング網が、前記の遠隔端末からページャに向けられた呼を受信し、前記の呼が前記のページャに遠隔動作セッションに入るよう指令する場合、前記の遠隔端末と前記のページャとの間に通信リンクを設定し、前記のページャが、前記のページャに送られた前記のページを、前記の通信リンクを通じて、前記の遠隔端末に選択的に送信することを特徴とする請求項２１のシステム。
【請求項２３】
前記のページャが、前記の遠隔動作セッションにあるとき、前記のページャと前記の遠隔端末との間で対話を開始することを指令する所定のコマンドを前記遠隔端末から受信することを特徴とする請求項２２のシステム。
【請求項２４】
前記のページャに送られた前記のページが、メモリ内に格納されることを特徴とする請求項２３のシステム。
【請求項２５】
前記の遠隔端末が、前記のメモリ内に格納されたページを前記の遠隔端末に送信することを指令する転送コマンドを前記のページャに送信することを特徴とする請求項２４のシステム。
【請求項２６】
前記の遠隔端末が、さらに、前記のページャに対して、前記のメモリ内に格納された所定のページを削除することを指令する削除コマンドを送信することを特徴とする請求項２５のシステム。
【請求項２７】
前記の遠隔端末が、前記の遠隔動作セッションを終了することを指令する停止コマンドを送信することを特徴とする請求項２６のシステム。
【請求項２８】
前記の停止コマンド、前記の削除コマンドおよび前記の転送コマンドが、あらかじめプログラムされたＤＴＭＦコマンドセットから選択されることを特徴とする請求項２７のシステム。
【請求項２９】
前記のメモリ内に格納された前記のページが、音声メッセージ、数字メッセージ、および英数字メッセージから成る一群から選択されるメッセージであることを特徴とする請求項２８のシステム。
【請求項３０】
前記の通信リンクが、無線通信リンクであることを特徴とする請求項２９のシステム。
【請求項３１】
前記の遠隔端末が、無線端末、地上回線電話機、セルラ電話機、ラップトップコンピュータ、および、専用の移動無線機から成る一群から選択された端末であることを特徴とする請求項３０のシステム。